(57)【特許請求の範囲】
【請求項１】
貝類付きロープを海中から引き上げて、貝類除去具により貝類付きロープから貝類を取外す貝類取外し装置において、
貝類除去具よりも海側に配置固定された強制回転式の回転コンベアと、回転コンベアで引き上げた貝類付きロープから貝類を取外す貝類除去具と、貝類付きロープを船上に引く引込み装置を備え、
前記回転コンベアは下方回転体と上方回転体の外周に巻いた網がそれら回転体の回転により回転するコンベアであり、上方回転体を船上に設置して下方回転体を海に向けて斜め下向きに突設すると下方回転体が海面近く又は海中に配置される長さであり、網は縦横に配列された多数の網目と夫々の網目の外周の外周縁を備え、
前記貝類除去具は上方回転体よりも船上側にあって、前記回転コンベアの回転及び引込み装置により船上に引き上げられる貝類付きロープのロープは通過できる大きさの通路と、貝類付きロープに係止されている貝類は通過できずに係止してロープから脱落させる係止部を備えた、
ことを特徴とする貝類取外し装置。
【請求項２】
請求項１記載の貝類取外し装置において、
回転コンベアの上方回転体側が水平（略水平を含む）であり、下方回転体側が斜め下向きである、
ことを特徴とする貝類取外し装置。
【請求項３】
請求項１又は請求項２記載の貝類取外し装置において、
回転コンベアの海側への下り傾斜角又は／及び船の外への突出長が調節可能である、
ことを特徴とする貝類取外し装置。
【請求項４】
請求項１乃至請求項３のいずれかに記載の貝類取外し装置において、
回転コンベアが船上に収容可能である、
ことを特徴とする貝類取外し装置。
【請求項５】
貝類付きロープを海中から引き上げながら、貝類除去具により貝類付きロープから貝類を取外す貝類取外し方法において、
請求項１から請求項４のいずれか１項に記載の貝類取外し装置を使用し、
前記貝類取外し装置の回転コンベアの下方を船上から海側に斜め下向きに突設して海面近くに設置するか又は海中に入れ、
前記回転コンベアの回転及び引込み装置による引き込みにより、海中の貝類付きロープを回転コンベアの上走行部の上から船上まで引き上げ、
前記引き上げ中に、貝類付きロープのロープを貝類除去具の通路内を通過させることにより、当該ロープについている貝類を前記貝類除去具の係止部に係止させて前記ロープから脱落させる、
ことを特徴とする貝類取外し方法。
【発明の詳細な説明】
【技術分野】
【０００１】
本願発明は、ロープに係止して、ロープごと海中に吊下げて養殖した帆立貝、あこや貝、牡蠣など（これらをまとめて「貝類」という。）をロープから取外すのに使用される貝類取外し装置と貝類取外し方法に関するものであり、貝類付きロープを海中から引き上げながら貝類を取外すことができるのは勿論の事、船に引き上げて船上で取外したり、陸上で使用したりすることもできるものである。
【背景技術】
【０００２】
貝類は吊下げ養殖（帆立貝の養殖では「耳吊り養殖」といわれている。）されることがある。耳吊り養殖はロープに差込んだ樹脂製の貝類係止具Ｋ（図１）又はテグスを、貝類に開けた孔に通して貝類をロープに取付け、この貝類付きロープを海中に吊下げて養殖する方法である。
【０００３】
従来の耳吊り養殖では、図９（ａ）に示すように、ロープ２に貝類１が係止されている貝類付きロープ３を、船Ａの上に設置された引上げ回転体Ｂの外周に掛け、その下流側（図では右側）に設けた引込み装置６（図９（ａ）の場合は引込み回転体４と押し具７で構成されている）で船Ａの上へ引込んで海上から引き上げ、このとき、貝類１が引上げ回転体Ｂと引込み回転体４の間に配置された貝類除去具５によって貝類付きロープ３から取外される。引上げ回転体Ｂや引込み回転体４はモータなどの駆動装置によって回転するものである。
【０００４】
前記貝類除去具５は一部が開口しているリング状であり、その内側の通路５ａは、ロープ２は通過可能な内径であるが貝類１は通過できない内径となっている。そのため、貝類付きロープ３のロープ２を通路５ａ内に引込むと貝類１が貝類除去具５に引っ掛かってロープ２から離脱する。場合によっては貝類１をロープに係止する貝類係止具Ｋと共にロープ２から離脱する。
【０００５】
貝類除去具５は図９（ａ）に示すＵ字状貝のものであってもよい。Ｕ字状の貝類除去具５にも通路５ａがあり、この通路５ａの幅は、ロープ２は通過可能な広さであるが貝類１は通過できない広さとなっていて、ロープ２を引くことによって貝類１が貝類除去具５に引っ掛かって貝類付きロープ３から離脱するものである。
【０００６】
図９（ａ）に示すように、貝類１が外れたロープ２は引込み回転体４によって、下流（船Ａのデッキ）に引かれる。このとき、ロープ２を円滑に下流に案内し、貝類１が貝類除去具５に引っ掛かる際の抵抗でロープ２が引戻されないようにするため、引込み回転体４の外側にローラ状の押し具７を配置して、引込み回転体４により引込まれるロープ２を押し具７により引込み回転体４に押し付けると共に引込み回転体４の回転と押し具７の回転でロープ２が下流へ引出されるようにしてある。図９（ａ）の例では引込み回転体４が時計回りに回転し、押し具７は反時計回りに回転する。引込み回転体４は図９（ｂ）に示すように２枚の円盤４ａ、４ｂが連結軸８で対向連結されており、ロープ２は円盤４ａ、４ｂ間の引込み通路４ｃに押し具７で押し付けられながら引込まれる。押し具７は図示しないバネにより引込み通路４ｃ側に引かれてロープ２をスリップしないように引込み通路４ｃに押し付けるようにしてある。押し具７はない場合もある。
【０００７】
押し具７の下にはロープ弾き９が設けられている。このロープ弾き９は引込み回転体４と押し具７の間に引込まれるロープ２が引込み通路４ｃに必要以上に押し込まれない（巻き付かない）ようにロープ２の食い込みを防止するものであり、先端部９ａが尖鋭な楔状になっており、その先端部９ａが引込み回転体４の引込み通路４ｃ内に配置されている。
【０００８】
前記貝類除去具５に引っ掛かって貝類付きロープ３から離脱した貝類１は、船内側に下り傾斜の受け具Ｃで受けられ、この受け具Ｃの上を滑って船内の収容カゴＤに収容される。収容された貝類１は、この後、洗浄され、必要に応じて表面の汚れが落とされて、大きさごとに選別されて出荷される。
【０００９】
以上のように、従来の吊下げ養殖において貝類１を水揚げする場合に利用される貝類取外し装置には、ドラム状の引上げ回転体Ｂが利用されていた。この引上げ回転体は、特許文献１にも記載されているように、広く利用されているものであった。
【先行技術文献】
【特許文献】
【００１０】
【特許文献１】特開平１０−１３６８３３号公報
【００１１】
従来は、ドラム状の引上げ回転体Ｂに代えて、図１０に示す滑り台Ｅを利用する場合もあった。図１０に示す滑り台Ｅは貝類付きロープ３が円滑に通過できるように表面Ｆを平滑面にすると共に、表面Ｆの幅方向両側面に貝類付きロープ３が表面Ｆから脱落（滑落）しないように側壁Ｇ（図１１）を備えている。この滑り台Ｅの表面Ｆは貝類付きロープ３が海中に吊るされた鉛直姿勢から船内での水平姿勢に円滑に移行できるように、側面視曲線状に湾曲している。この表面Ｆの曲線形状と平滑面によって貝類付きロープ３は円滑に船内に引き上げられるようにしてある。
【００１２】
図１０は、引込み回転体４と押し具７が水平面上で回転するように設置された例を示している。この設置姿勢は図９（ａ）とは異なるが、その作用は図９（ａ）と同じであり、図９（ａ）において引込み回転体４と押し具７を水平姿勢に設置してもよく、あるいは、図１０の引込み回転体４と押し具７を鉛直姿勢に設置（図１１）してもよい。
【発明の概要】
【発明が解決しようとする課題】
【００１３】
貝類１を係止して海中に吊下げられた貝類吊下げロープ２（通常６〜８ｍｍ径程度）の場合、その長さと取付ける貝類１の枚数にもよるが、例えば、海中に投入後半年程度で貝類１や貝類付きロープ３にザラボヤなどが大量に付着して、見かけ上１００〜２００ｍｍの径となり、その重量も１本当たり３０〜５０ｋｇとなることがある。このように重くなった貝類付きロープ３を引き上げると、貝類付きロープ３が引上げ回転体Ｂ（図９（ａ））の胴体外周面でスリップしてスムースに引き上げられないとか、貝類１が引上げ回転体Ｂと擦れてロープ２から落下するといった問題があった。図１０、図１１の滑り台Ｅは貝類付きロープ３を引き上げる力がないため、引込み回転体４だけで貝類付きロープ３を引き上げることとなり、スムースに貝類付きロープ３を引き上げにくいという問題があった。
【００１４】
本願発明の課題は、養殖・天然物、特に、昆布等のように長い海産物や、雑物が大量に付着している貝類付きロープを海中から引き上げるときに、それらがスリップせずに確実にかつ容易に引き上げられる貝類取外し装置と貝類取外し方法を提供することにある。
【課題を解決するための手段】
【００１５】
本願発明の貝類取外し装置は、貝類付きロープを海中から引き上げて、貝類除去具により貝類付きロープから貝類を取外す貝類取外し装置において、貝類除去具よりも海側に配置固定された強制回転式の回転コンベアと、回転コンベアで引き上げた貝類付きロープから貝類を取外す貝類除去具と、貝類付きロープを船上に引く引込み装置を備え、前記回転コンベアは下方回転体と上方回転体の外周に巻いた網がそれら回転体の回転により回転するコンベアであり、上方回転体を船上に設置して下方回転体を海に向けて斜め下向きに突設すると下方回転体が海面近く又は海中に配置される長さであり、網は縦横に配列された多数の網目と夫々の網目の外周の外周縁を備え、前記貝類除去具は上方回転体よりも船上側にあって、前記回転コンベアの回転及び引込み装置により船上に引き上げられる貝類付きロープのロープは通過できる大きさの通路と、貝類付きロープに係止されている貝類は通過できずに係止してロープから脱落させる係止部を備えたものである。
【００１６】
本願発明の貝類取外し装置は、前記貝類取外し装置において、回転コンベアの上方回転体側を水平（略水平を含む）にし、下方回転体側を斜め下向きにすることもできる。
【００１７】
本願発明の貝類取外し装置は、前記貝類取外し装置において、回転コンベアの海側への下り傾斜角又は／及び船の外への突出長が調節可能とすることもできる。
【００１８】
本願発明の貝類取外し装置は、前記貝類取外し装置において、回転コンベアを船上に収容可能とすることもできる。
【００１９】
本願発明の貝類取外し方法は、貝類付きロープを海中から引き上げながら、貝類除去具により貝類付きロープから貝類を取外す貝類取外し方法において、前記いずれかの貝類取外し装置を使用し、前記貝類取外し装置の回転コンベアの下方を船上から海側に斜め下向きに突設して海面近くに設置するか又は海中に入れ、その回転コンベアの回転及び引込み装置による引き込みにより、海中の貝類付きロープを回転コンベアの上走行部の上から船上まで引き上げ、前記引き上げ中に、貝類付きロープのロープを貝類除去具の通路内を通過させることにより、当該ロープについている貝類を前記貝類除去具の係止部に係止させて前記ロープから脱落させる方法である。
【発明の効果】
【００２０】
本願発明は次のような効果がある。
（１）回転コンベアの回転によって貝類付きロープを海中から容易且つ確実に引上げ可能であり、引上げ中の貝の脱落も減少する。
（２）回転コンベアの海側が、海に向けて斜め下向きであるため、海中（又は水中）からの引上げスムースになり、引上げ中の貝の脱落も減少する。
（３）回転コンベアは搬送長が、従来のドラム状の引上げ回転体に比べて長く、貝類付きロープとの接触長が長くなるため、従来に比べて貝類付きロープと回転コンベアの摩擦力が大きくなるので、貝類付きロープがスリップし難くなって円滑に引き上げることができる。
（４）回転コンベアの海側への下り傾斜角度、下り長（船から海側への突出長）が可変であるため、作業し易い角度、長さに等に調節可能であり、引上げ作業がし易くなる。
（５）回転コンベアを船上に収容可能であるため、船の移動時には船上に収容して船の外に突出しないようにすることができ、船の走行の邪魔にならない。
（６）回転コンベアの表面に、貝類が係止可能な滑り止め突起と滑り止め空間の双方、又はいずれか一方を設けているので、貝類付きロープが確実に係止されて確実に引き上げることができる。
【図面の簡単な説明】
【００２１】
【図１】本願発明の貝類取外し装置を船上に搭載した状態を示す側面図。
【図２】（ａ）は本願発明の貝類取外し装置を船上に搭載し、引込み回転体を水平姿勢で配置した状態を示す側面図、（ｂ）は回転コンベアを船上に起立させた（収容した）状態の一例を示す説明図。
【図３】回転コンベアの無端搬送体を波状網とした例の斜視図。
【図４】（ａ）は波状網の平面図、（ｂ）は波状網を構成する波板の波山、波谷とその連結状態を示す部分斜視図。
【図５】（ａ）は滑り止め突起と滑り止め凹部を備えたシートを無端搬送体に使用した一例を示す斜視図、（ｂ）は（ａ）のシートの一例を説明する説明図。
【図６】（ａ）は滑り止め突起と滑り止め凹部を備えたシートを無端搬送体に使用した他例を示す斜視図、（ｂ）は（ａ）のシートの一例を説明する説明図。
【図７】（ａ）は無端搬送体の表面にＶ字状の滑り止め突起を取付けた例を示す斜視図、（ｂ）はＶ字状の滑り止め突起の斜視図。
【図８】（ａ）は無端搬送体の表面にＬ字状の滑り止め突起を取付けた例を示す斜視図、（ｂ）はＬ字状の滑り止め突起の斜視図。
【図９】（ａ）は従来の貝類取外し装置を船上に搭載した状態を示す側面図、（ｂ）は引込み回転体とロープ弾きを説明する詳細図。
【図１０】従来の貝類取外し装置で滑り台を備えた例を示す側面図。
【図１１】従来の貝類取外し装置で滑り台を備えた例を示す正面図。
【発明を実施するための形態】
【００２２】
（実施形態）
本願発明の貝類取外し装置の実施形態を図１に基づいて説明する。この貝類取外し装置は耳吊り養殖された貝類１をロープ２から取外すものであり、船上に貝類取外し装置を搭載した場合について説明する。
【００２３】
（全体概要）
図１は本願発明の貝類取外し装置を船上に搭載した状態を示す側面図である。この図に示すものは、海側から順に、回転コンベア１０、貝類除去具５、引込み回転体４を備えている。貝類１は貝類係止具Ｋによってロープ２に取付けられた状態で海中に吊下げられて養殖され、貝類１が十分成長すると貝類付きロープ３は海中から引き上げられる。このとき、貝類付きロープ３は回転コンベア１０によって海中から引き上げられ、さらにロープ２を引込み可能な引込み装置６によって船Ａのデッキ内に引き上げられる。貝類付きロープ３の貝類１は、回転コンベア１０と引込み回転体４の間に設けられた貝類除去具５によって貝類付きロープ３から取外され、デッキ上に設置された収容カゴＤに収容される。収容された貝類１は、洗浄され、大きさごとに選別されて出荷される。貝類除去具５の下方に、デッキ側に向けて下り傾斜の受体（例えばシート、網、板等）Ｃを配置して、貝類付きロープ３から落下した貝類１が一旦受け台Ｃで受けられ、その受け台Ｃの上を滑って収容カゴＤに確実に収容されるようにしてある。
【００２４】
（回転コンベア）
回転コンベア１０は図１に示すように起点側（下方：海側）回転体１０ａと、終点側（上方：船側）回転体１０ｂと、これら両回転体の外周に巻いて両回転体の外周を回転する無端搬送体１０ｃとを備えている。この回転コンベア１０は起点側回転体１０ａを海面に向けて下向き傾斜にして船Ａに取付けられており、一例として船Ａのカイシング１１に支持材１２によって取付けられている。支持材１２は剛性のアームとして回転コンベア１０を下向き傾斜に支持できるようにしてあり、その傾斜角度や起点側回転体１０ａの位置を上げたり下げたりすることができるようにしてある。
【００２５】
図１では起点側回転体１０ａが海面よりも上方に位置しているが、起点側回転体１０ａを海中に配置することもできる。起点側回転体１０ａが海面に近づく（あるいは海中に深く潜る）ほど、無端搬送体１０ｃの長さが長くなって、貝類付きロープ３と無端搬送体１０ｃとの接触面積（長さ）が大きく（長く）なり、摩擦力が大きくなって貝類付きロープ３がスリップし難くなる。起点側回転体１０ａが海面から上方に離れるほど無端搬送体１０ｃの長さが短くなって回転コンベア１０が小型化する。起点側回転体１０ａの位置、すなわち無端搬送体１０ｃの延長は、作業状況や経費などを考慮して適宜設計することができる。無端搬送体１０ｃの長さが長くなる場合には、起点側回転体１０ａ及び終点側回転体１０ｂとは別に、両回転体の間に中間回転体（図示しない）を設けて無端搬送体１０ｃの回転を補助することもできる。
【００２６】
起点側回転体１０ａと終点側回転体１０ｂの双方又は一方はモータなどの駆動装置による強制回転とし、一方を強制回転としたときは他方は自由回転とすることができる。無端搬送体１０ｃは起点側回転体１０ａと終点側回転体１０ｂを両端にしてこれらの外周を循環回転するものである。終点側回転体１０ｂの回転方向は貝類付きロープ３を海中から引き上げる方向、つまり図では時計回りに回転するものであるが、貝類付きロープ３が引込み回転体４に絡まるなど不測の事態に備えて、必要時には反転（図では反時計回り）可能とするのが望ましい。
【００２７】
回転コンベア１０は起点側回転体１０ａ、終点側回転体１０ｂの各回転体をそれぞれスプロケットとし、これらの外周を回転する無端搬送体１０ｃをチェーンベルトとし、それに金網等を張ったチェーンコンベアとすることもできる。スプロケットとした場合はチェーンベルトを掛けずに、無端搬送体１０ｃに後に説明する波状網のベルトを使用し、その波状網の空間をスプロケットに掛けて、スプロケットの回転により波状網が回転するようにすることもできる。前記回転体１０ａ、１０ｂの夫々をローラとし、それにベルトコンベアを巻回することもできる。
【００２８】
起点側回転体１０ａは、アーム１３によって回転可能に支持されている。このアーム１３は一端が起点側回転体１０ａの回転軸又は回転軸受けに取付けられ、他端が終点側回転体１０ｂの回転軸又は回転軸受けに取付けられて、起点側回転体１０ａと終点側回転体１０ｂの両外側（図１の手前側と奥側）に設置されている。アーム１３は起点側回転体１０ａを支持できればどちらか一方の側面にのみ（図１の手前側か奥側）設置しても構わない。
【００２９】
アーム１３は終点側回転体１０ｂの回りに回転可能に取付けられ、図２（ｂ）のように回転コンベア１０が終点側回転体１０ｂの軸１０ｄを回転軸として回転することが可能で、引上げ作業を行わないときは回転コンベア１０を略鉛直姿勢となるまで回転（この場合時計回り）させて船内に収納することもできる。
【００３０】
（無端搬送体）
図１の無端搬送体１０ｃは略への字状に曲げてあるが、直線状にしてもよい。貝類付きロープ３が海中に吊るされた鉛直姿勢から船内での水平姿勢に円滑に移行できるように、図１に示すような曲線形状で回転させることもできる。無端搬送体１０ｃを曲線形状で回転させると、直線形の場合より無端搬送体１０ｃの延長が長くなり、貝類付きロープ３と無端搬送体１０ｃとの摩擦力が向上し貝類付きロープ３がスリップし難くなるという効果も生じる。
【００３１】
無端搬送体１０ｃを曲線形状で回転させる場合、海側（図では左側）における無端搬送体１０ｃの回転方向を貝類付きロープ３の鉛直姿勢に近づける目的で、図１のように下側に折れる曲線形状とする。具体的には、無端搬送体１０ｃは起点側回転体１０ａと終点側回転体１０ｂの間を往復するが、曲線形状で回転させた場合、往路（便宜上、「上側面」という。）と復路（便宜上、「下側面」という。）では、曲率（曲線半径ｒの逆数１／ｒで曲がり具合をあらわすもの）が異なり、上側面の曲率を下側面の曲率よりも小さくする（緩いカーブとする）と、図１のように側に折れる曲線形状となる。換言すれば、上側面をいわゆる外カーブとし、下側面を内カーブとすれば図１のようになる。
【００３２】
無端搬送体１０ｃの下側面は重力によって垂下しようとするため、無端搬送体１０ｃがたわみ張力が失われた状態で回転することになる。これを防止するため、図１に示す支持体１４を設ける。この支持体１４は無端搬送体１０ｃの下側面の曲率に合わせた形状となっており、無端搬送体１０ｃの下側面の下方に配置され、例えば、船Ａのカイシング１１の上で支持材（図示しない）によって固定される。なお、支持体１４と無端搬送体１０ｃの下側面が接触するように支持体１４を配置してもよいが、支持体１４の設置目的は下側面の垂下によるたわみを防止するためであるため、支持体１４と無端搬送体１０ｃの間に若干の隙間を設けて支持体１４を配置してもよい。支持体１４は樹脂製、金属製など種々の材料を用いて形成することができるが、無端搬送体１０ｃの下側面の弛み防止を目的とするものであるため、剛性のものが適する。
【００３３】
（無端搬送体の滑り止め突起等）
無端搬送体１０ｃの表面には滑り止め突起、滑り止め空間を設けるのが良く、それらの一例として図３に示すものは、回転コンベア１０の無端搬送体１０ｃを波状網１５とし、その波状網１５が起点側回転体１０ａと終点側回転体１０ｂの外周にスリップしないように巻いてある。この波状網１５は図４（ｂ）に示すような細幅板をコの字形に曲げて波山と波谷を有する波板１６にし、繰り返し形成された波山と波谷を滑り止め突起（外周縁）１８ａ、山の内側部分と谷の内側部分を滑り止め空間（網目）１８ｂとし、多数本の波板１６を図４（ａ）のように波山、波谷を同じ向きに揃えて多数列並べ、連結軸１９で回転自在に連結されて網状にして、図３に示すように回転コンベア１０の曲面部（回転部）に対しても追随して屈曲可能となる。波状網１５を構成する波板１６及び連結軸１９は金属製や樹脂製等とすることができるが、金属製とする場合は海中使用するため防錆加工を施すかステンレス製とすることが望ましい。前記滑り止め突起１８ａと滑り止め空間１８ｂの形状はコの字形に限らず半円形、三角形、五角形といった形状にすることができる。波状網１５は板材のほか棒材やパイプ材、特に角棒や角パイプで成形することもできる。
【００３４】
波状網１５は、回転コンベア１０の無端搬送体１０ｃがベルトコンベアの場合はそのベルトの表面に取付けることもできるし、回転コンベア１０がチェーンコンベアの場合にはチェーンベルトに取付けて、前記滑り止め空間１８ｂがスプロケットに噛み合うようにすることもできる。
【００３５】
従来のドラム式の引上げ回転体Ｂ（図９（ａ））では、ザラボヤなどの雑物が大量に付着した貝類付きロープ３の場合は、引上げ回転体Ｂの胴体でスリップして貝類付きロープ３を引き上げることができない場合があったが、本願発明の回転コンベア１０は例えば図３に示すように波山と波谷による多数の滑り止め突起１８ａと、波山の内側と波谷の内側の滑り止め空間１８ｂを備えた波状網１５が使用されて滑り止め構造にしてあるので、貝類付きロープ３の貝類１やロープ２に付着している雑物等が、滑り止め空間１８ｂ内に入って（落ち込んで）貝類付きロープ３が滑り止め突起１８ａに係止し易くなり、確実に引上げ可能となる。
【００３６】
無端搬送体１０ｃの表面に設ける滑り止め突起、滑り止め空間の他例として図５（ａ）に示すものは、無端搬送体１０ｃの表面に図５（ｂ）に示すような凸状滑り止め突起２０を千鳥配列で固定して凸状滑り止め突起２０の間に凸間滑り止め空間２１を設けてある。凸状滑り止め突起２０はビス、釘、接着剤等の止め具で無端搬送体１０ｃの表面に固定することができる。この凸状滑り止め空間２１も貝類、雑物等が落ち込んで、貝付き吊下げロープが凸状滑り止め突起２０に係止し易くするためのものである。
【００３７】
凸状滑り止め突起２０及び凸状滑り止め空間２１は、図５（ｂ）に示すようにシートや薄板２２の上に形成することもできる。また、図６（ｂ）に示すように、多数の凸状滑り止め突起２０と凸状滑り止め空間２１が連続して設けられたシートや薄板２２を、ベルトやチェーンベルトに取付けて図６（ａ）のように無端搬送体１０ｃを形成することもできる。
【００３８】
無端搬送体１０ｃの表面に設ける滑り止め突起、滑り止め空間の他例として図７（ａ）に示すものは、図７（ｂ）のようにＶ形滑り止め突起２３を無端搬送体１０ｃの表面に千鳥配列で取付け、それらＶ形滑り止め突起２３の間にＶ形滑り止め空間２４を設けたものである。この場合、Ｖ形滑り止め突起２３の開口側２３ａを回転体の回転方向先方（図７（ａ）の矢印Ｙ方向）に向けて取付けると、貝類付きロープ３がＶ形滑り止め突起２３に係止し易くなる。Ｖ形滑り止め突起２３は、図７（ｂ）に示すように、裾に取付け片２３ｂを備えており、この取付け片２３ｂをビス、くぎ、接着剤などの固定具で無端搬送体１０ｃの表面に固定することができる。Ｖ形滑り止め突起２３は図７（ａ）とは逆向きに取付けてもよい。
【００３９】
無端搬送体１０ｃの表面に設ける滑り止め突起、滑り止め空間の他例として図８（ａ）に示すものは、図８（ｂ）のようにＬ形滑り止め突起２５を無端搬送体１０ｃの表面に間隔を開けて取付け、それらＬ形滑り止め突起２５の間にＬ形滑り止め空間２６を設けたものである。Ｌ形滑り止め突起２５は、図８（ｂ）に示すように、裾に取付け片２５ａを備えており、この取付け片２５ａをビス、くぎ、接着剤などの固定具で無端搬送体１０ｃの表面に固定することができる。
【００４０】
.
（貝類除去ストッパ）
図１の回転コンベア１０の終点側回転体１０ｂよりも下流側（貝類付きロープ３の移動方向の下流側：図では右側）には、貝類除去具５が配置されている。貝類除去具５は閉合しない（一部開口の）リング状であり、このリング状の内側に設けられた通路５ａは、ロープ２は通過できる大きさの内径であるが、貝類１は通過できない大きさの内径となっている。そのため、貝類１を付けた貝類付きロープ３がこの貝類除去具５を通過する際、貝類１にとっては通路５ａの外側の係止部５ｂが妨げとなって（引っ掛かって）これより下流側には進めないが、ロープ２は引き続き下流側へ移動するため、貝類１はロープ２に差込んである貝類係止具Ｋから引外されてロープ２から離脱する。貝類１は場合によっては貝類係止具Ｋとともにロープ２から離脱する。
【００４１】
貝類除去具５は図１に示すようにＵ字状であっても、他の形状であってもよい。Ｕ字状の貝類除去具５にも通路５ａがあり、この通路５ａの幅はロープ２が通過できる広さであるが、貝類１は貝類除去具の係止部５ｂに引っかかって通過できない広さとなっている。これによって、貝類除去具５と同様に貝類１を貝類付きロープ３から離脱させることができる。
【００４２】
（引込み回転体）
図１に示すように貝類除去具５よりも下流（船上）側には、貝類１が取外されたロープ２を引込み可能な引込み装置６が配置されている。図１の引込み装置６は引込み回転体４と押し具７を備えているが、押し具７はない場合もある。引込み装置６はロープ２を引いて貝類１を貝類除去具５で貝類付きロープ３から外し、貝類１の外れた空のロープ２を下流方向、即ち、船Ａのデッキ上に引込むものである。引込み回転体４は図９（ｂ）に示すように、二枚の円盤４ａ、４ｂが対向配置されて連結軸８で連結されて、二枚の円盤４ａ、４ｂ間にロープ２をガイドする引込み通路４ｃが形成されている。引込み通路４ｃは二枚の円盤４ａ、４ｂの中心部（連結軸８側）が狭く、外周側が広くなっている。この引込み回転体４のみではロープ２を引込むことができないため、ロープ２を確実に引込みできるようにするため、引込み回転体４の引込み通路４ｃに対向させて押し具７を設けて、引込み通路４ｃ内に引込まれるロープ２を引込み回転体４と押し具７で挟むことができるようにしてある。この場合、図１ではロープ押し具７は貝類付きロープ３を船上へ引込むように回転（時計回りに回転）し、押し具７は反時計回りに回転するようにしてある。前記貝類除去具５（図１）はこの引込み回転体４の上に設置することもできる。引込み装置６の引込み回転体４、押し具７の形状、構造等は図１に示す以外のものであってもよい。
【００４３】
押し具７の下方にはロープ２が引込み回転体４に食い込むのを防止するロープ弾き９が設けられている。このロープ弾き９は引込み回転体４と押し具７に挟まれて引込まれる貝類付きロープ３が引込み回転体４に食い込み過ぎないように弾くものである。引込み回転体４の引込み通路４は図９（ｂ）のように二枚の円盤４ａ、４ｂの外周側から中心側に向けて狭くなっているため、引込み通路４ｃ内に引き込まれるロープ２は引込み通路４ｃの中心側に食い込む。深く食い込むとロープ２が動きにくくなって引き込まれなくなることがあるため、ロープ弾き９は過度の食い込みを防止して適度の押し込みにして、ロープ２が連続してスムースに引込まれるようにするためのものである。ロープ弾き９は図９（ｂ）に示すように先端部９ａを先細りの楔状にして、その先端部９ａを引込み通路４ｃ内に配置してある。このような構成とすることにより図９（ｂ）に示すように、引込み通路４ｃの上部ではロープ２が引込み通路４ｃ内を通過しているが、引込み通路４ｃの下部であって本来であればロープ２が通過する位置にロープ弾き９が配置されているので、ロープ２は引込み回転体４の引込み通路４ｃの中心側に入り込むことができず、連結軸８に巻き付くことなく、引込み通路４ｃの外に送り出される。
【００４４】
引込み回転体４は図２に示すように水平面上で回転するように設置することもできる。この場合は押し具７も同様に水平面上で回転するように配置し、ロープ弾き９は押し具７よりも下流側（ロープ２の移動方向先方：図２では右側）に設置される。
【００４５】
（使用例）
１．本願発明の貝類取外し装置を船Ａに搭載して固定する。
２．回転コンベア１０を図２（ｂ）のように、略鉛直姿勢となるまで回転させて船内に収納した状態で、船Ａを海上の目的地まで走行させる。
３．回転コンベア１０を所定角度となるまで終点側回転体１０ｂ回りに回転させて、起点側回転体１０ａを海上近くに、又は海中にセットする。
４．貝類付きロープ３を手作業で海中から引き上げて回転コンベア１０の外周に掛ける。
５．モータなどの駆動装置によって終点側回転体１０ｂを強制回転させて、無端搬送体１０ｃを回転させる。
６．貝類付きロープ３を無端搬送体１０ｃによって順次引き上げ、ロープ２を引込み回転体４で引込んで、貝類付きロープ３を貝類除去具５へ送り込む（引込む）。
７．貝類除去具５によって貝類１が貝類付きロープ３から取外され、船Ａのデッキ上に設置された収容カゴＤに収容される。
８．収容された貝類１は、洗浄され、大きさごとに選別される。
９．貝類の取外し作業が終わると、回転コンベア１０を図２（ｂ）のように、略鉛直姿勢に戻し、船内に収納させた状態で、海上を走行して帰港する。
【産業上の利用可能性】
【００４６】
本願発明の貝類取外し装置は、海上で吊下げ養殖する貝類を船上に引き上げてそのまま出荷する場合に限らず、船上或いは陸で洗浄する場合や海岸など海に面した場所、湖上や河上で作業する場合などにも利用することができる。
【符号の説明】
【００４７】
１    貝類
２    ロープ
３    貝類付きロープ
４    引込み回転体
４ａ、４ｂ  円盤
４ｃ  引込み通路
５    貝類除去具
５ａ  （貝類除去具の）通路
５ｂ （貝類除去具の）係止部
６    引込み装置
７    押し具
８    連結軸
９    ロープ弾き
９ａ  （ロープ弾きの）先端部
１０    回転コンベア
１０ａ  （回転コンベアの）起点側回転体
１０ｂ  （回転コンベアの）終点側回転体
１０ｃ  （回転コンベアの）無端搬送体
１０ｄ  （終点側回転体の）軸
１１    カイシング
１２    支持材
１３    アーム
１４    支持体
１５    波状網
１６    波板
１８ａ  滑り止め突起（外周縁）
１８ｂ  滑り止め空間（網目）
１９    連結軸
２０    凸状滑り止め突起
２１    凸状滑り止め空間
２２    シートや薄板
２３    Ｖ形滑り止め突起
２３ａ  （Ｖ形滑り止め突起の）開口側
２３ｂ  （Ｖ形滑り止め突起の）取付け片
２４    Ｖ形滑り止め空間
２５    Ｌ形滑り止め突起
２５ａ  （Ｌ形滑り止め突起の）取付け片
２６    Ｌ形滑り止め空間
Ａ    船
Ｂ    引上げ回転体
Ｃ    受け具
Ｄ    収容カゴ
Ｅ    滑り台
Ｆ    （滑り台の）表面
Ｇ    （滑り台の）側壁
Ｋ    貝類係止具
【図１】
0005607987.tif 000002
【図２】
0005607987.tif 000003
【図３】
0005607987.tif 000004
【図４】
0005607987.tif 000005
【図５】
0005607987.tif 000006
【図６】
0005607987.tif 000007
【図７】
0005607987.tif 000008
【図８】
0005607987.tif 000009
【図９】
0005607987.tif 000010
【図１０】
0005607987.tif 000011
【図１１】
0005607987.tif 000012